【手続補正書】
【提出日】平成22年7月12日(2010.7.12)
【手続補正１】
【補正対象書類名】特許請求の範囲
【補正対象項目名】請求項１
【補正方法】変更
【補正の内容】
【請求項１】
遊技に使用する遊技球を貯留する上皿と、
該上皿に貯留された遊技球を遊技領域に発射する遊技球発射手段と、
該遊技球発射手段により発射された遊技球が遊技領域に設けられた所定の入賞口への入賞に基づき当否判定用の乱数値を取得する乱数値取得手段と、
該乱数値取得手段により取得された乱数値を複数個記憶可能な乱数値記憶手段と、
該乱数値記憶手段に記憶された乱数値を取得された順に当否判定する当否判定手段と、
該当否判定手段によって当りと判定された場合は大当り遊技へ移行し、かかる大当り遊技の終了後に前記当否判定手段によって当りと判定される確率が高くなる高確率状態に移行するか否か決定する高確率状態決定手段と、を備えた遊技機において、
前記高確率状態決定手段により、前記大当り遊技終了後に高確率状態に移行され、且つ前記乱数値記憶手段により記憶されている当否判定用の乱数値の個数が所定個数以下になった場合に限り、前記高確率状態決定手段により高確率状態が生起していることを遊技者に報知する高確率報知手段１を備えたことを特徴とした遊技機。
【手続補正２】
【補正対象書類名】特許請求の範囲
【補正対象項目名】請求項２
【補正方法】変更
【補正の内容】
【請求項２】
前記大当り遊技終了後直ちに前記高確率状態決定手段により高確率状態が生起していることを遊技者に報知する高確率報知手段２を備え、
前記高確率状態決定手段により高確率状態へ移行すると決定された場合に、前記高確率報知手段１又は２のどちらか一方を選択する高確率報知選択手段を備えたことを特徴とする請求項１記載の遊技機。
【手続補正３】
【補正対象書類名】特許請求の範囲
【補正対象項目名】請求項３
【補正方法】変更
【補正の内容】
【請求項３】
前記高確率報知選択手段により前記高確率報知手段１が選択された場合、又は前記高確率状態決定手段により高確率状態に移行しないと決定された場合に、前記大当り遊技終了後の所定期間は高確率状態の可能性があることを示唆する報知態様で表す潜伏報知期間を設け、
該潜伏報知期間中は、高確率報知手段１による報知をしないことを特徴とした請求項２記載の遊技機。
【手続補正４】
【補正対象書類名】特許請求の範囲
【補正対象項目名】請求項６
【補正方法】変更
【補正の内容】
【請求項６】
前記上皿に貯留された遊技球が所定の位置にあるか否かを検出する貯留球検出手段を設け、
該貯留球検出手段の作動がない場合、前記潜伏報知期間であっても、前記乱数値記憶手段により記憶されている当否判定用の乱数値の個数が所定個数以下になった場合は、前記高確率報知手段１による報知をすることを特徴とした請求項３又は４記載の遊技機。
【手続補正５】
【補正対象書類名】明細書
【補正対象項目名】０００８
【補正方法】変更
【補正の内容】
【０００８】
上記課題を解決するために請求項１記載の遊技機は、遊技に使用する遊技球を貯留する上皿と、
該上皿に貯留された遊技球を遊技領域に発射する遊技球発射手段と、
該遊技球発射手段により発射された遊技球が遊技領域に設けられた所定の入賞口への入賞に基づき当否判定用の乱数値を取得する乱数値取得手段と、
該乱数値取得手段により取得された乱数値を複数個記憶可能な乱数値記憶手段と、
該乱数値記憶手段に記憶された乱数値を取得された順に当否判定する当否判定手段と、
該当否判定手段によって当りと判定された場合は大当り遊技へ移行し、かかる大当り遊技の終了後に前記当否判定手段によって当りと判定される確率が高くなる高確率状態に移行するか否か決定する高確率状態決定手段と、を備えた遊技機において、
前記高確率状態決定手段により、前記大当り遊技の終了後に高確率状態に移行され、且つ前記乱数値記憶手段により記憶されている当否判定用の乱数値の個数が所定個数以下になった場合に限り、前記高確率状態決定手段により高確率状態が生起していることを遊技者に報知する高確率報知手段１を備えたことを特徴とした遊技機である。
【手続補正６】
【補正対象書類名】明細書
【補正対象項目名】００１０
【補正方法】変更
【補正の内容】
【００１０】
前記課題を解決するために請求項２記載の遊技機は、前記大当り遊技終了後直ちに前記高確率状態決定手段により高確率状態が生起していることを遊技者に報知する高確率報知手段２を備え、
前記高確率状態決定手段により高確率状態へ移行すると決定された場合に、前記高確率報知手段１又は２のどちらか一方を選択する高確率報知選択手段を備えたことを特徴とする請求項１記載の遊技機である。
【手続補正７】
【補正対象書類名】明細書
【補正対象項目名】００１２
【補正方法】変更
【補正の内容】
【００１２】
前記課題を解決するために請求項３記載の遊技機は、前記高確率報知選択手段により前記高確率報知手段１が選択された場合、又は前記高確率状態決定手段により高確率状態に移行しないと決定された場合に、前記大当り遊技終了後の所定期間は高確率状態の可能性があることを示唆する報知態様で表す潜伏報知期間を設け、
該潜伏報知期間中は、高確率報知手段１による報知をしないことを特徴とした請求項２記載の遊技機である。
【手続補正８】
【補正対象書類名】明細書
【補正対象項目名】００１６
【補正方法】変更
【補正の内容】
【００１６】
前記課題を解決するために請求項６記載の遊技機は、前記上皿に貯留された遊技球が所定の位置にあるか否かを検出する貯留球検出手段を設け、
該貯留球検出手段の作動がない場合、前記潜伏報知期間であっても、前記乱数値記憶手段により記憶されている当否判定用の乱数値の個数が所定個数以下になった場合は、前記高確率報知手段１による報知をすることを特徴とした請求項３又は４記載の遊技機である。
【手続補正９】
【補正対象書類名】明細書
【補正対象項目名】００２４
【補正方法】変更
【補正の内容】
【００２４】
［第１実施例］
図１に示すように、弾球遊技機の一種であるパチンコ機５０は、縦長の固定外郭保持枠をなす外枠５１にて構成の各部を保持する構造である。
外枠５１の左側上下には、ヒンジ５３が設けられており、該ヒンジ５３の他方側には図３に記載する内枠７０が取り付けられており、内枠７０は外枠５１に対して開閉可能な構成になっている。
前枠５２には、板ガラス６１が取り外し自在に設けられており、板ガラス６１の奥には図２に記載する遊技盤１が内枠７０に取り付けられている。
前枠５２の上側左右及び外枠５１の下側左右には、スピーカ６６が設けられており、パチンコ機５０から発生する遊技音が出力され、遊技者の趣向性を向上させる。また、遊技者の趣向性を向上させるために前枠５２に遊技状態に応じて発光する枠側装飾ランプ６５も複数設けられている。
前枠５２の下方には、上皿５５と下皿６３が一体に形成されている。下皿６３の右側には発射ハンドル６４が取り付けられており、該発射ハンドル６４を時計回りに回動操作することによって発射装置（図示省略）が可動して、上皿５５から供給された遊技球が遊技盤１に向けて発射される。
下皿６３の左側には、遊技者が操作可能な演出ボタン６７が備えられており、遊技者が所定期間中に、該演出ボタン６７を操作することで後述する演出図柄表示装置６に表示される内容が変化したり、スピーカ６６より出力される遊技音が変化する。
また、このパチンコ機５０はいわゆるＣＲ機であって、プリペイドカードの読み書き等を行うためのプリペイドカードユニット（ＣＲユニット）５６が付属しており、パチンコ機５０には、球貸ボタン５７、返却ボタン５８及び残高表示器５９を有するＣＲ精算表示装置が備わっている。
【手続補正１０】
【補正対象書類名】明細書
【補正対象項目名】００６６
【補正方法】変更
【補正の内容】
【００６６】
図１６に示す図は上皿５５と下皿６３が一体に形成されている受皿ユニットである。球抜きボタン６８を操作することにより上皿５５に貯留されている遊技球を球抜き通路６２へ誘導し、下皿６３へ導くことができる。球抜き通路６２には、遊技球の通過を検出するための球抜きボタン検出スイッチ６８ａが設けられており、上皿５５に貯留されている遊技球を抜くための操作を検出することができる。